(57)【要約】【課題】自動車のダッシュボードなどに置いておき、このシートの上にメガネ、携帯電話、硬貨等の小物を乗せるとこれら小物が吸着されて落下を未然に防止することができる吸着性シートを提供する。【解決手段】極柔軟性ゴムからなるシートであって、該シートの両面が吸着性に富み、その吸着面が汚れても水洗いして吸着性を回復させることによって繰り返し使用可能である。前記の吸着性シート１は常温におけるかたさ試験機ＪＩＳ−Ａ型硬度の値が３〜７の範囲からなり、両面を剥離シート４で被覆してもよい。極柔軟性ゴムはシリコーンゴム又はブチルゴムであって、ゴムプレス成型法で所望の厚さに成型した後、架橋乃至加硫させてなる。【選択図】　　　図１
2004099719.tif 000002
【特許請求の範囲】
【請求項１】
極柔軟性ゴムからなるシートであって、該シートの両面が吸着性に富み、その吸着面に小物を載せることによって小物が滑動乃至落下することを防止し、吸着面が汚れても水洗いして吸着性を回復させることによって、繰り返し使用可能であることを特徴とする小物落下防止用吸着性シート。
【請求項２】
前記の吸着性シートは、常温におけるかたさ試験機ＪＩＳ−Ａ型硬度が３〜７の範囲にある極柔軟性ゴムからなることを特徴とする請求項１記載の小物落下防止用吸着性シート。
【請求項３】
前記の極柔軟性ゴムはシリコーンゴム又はブチルゴムであって、未架橋のシロキサンポリマー１００ｇに対しパーオキサイド架橋剤を０．８０・１０−３〜１．５・１０−３モル相当を含有する組成物又は未加硫のブチルゴムポリマー１００重量部に対し硫黄加硫剤を０．４〜０．８重量部を含有する組成物の何れかをゴムプレス成型法で所望の厚さに成型した後、架橋乃至加硫させてなる請求項１又は２の何れかに記載の小物落下防止用吸着性シート。
【請求項４】
前記の吸着性シートの両面が剥離シートで被覆されてなることを特徴とする請求項１〜３の何れかに記載の小物落下防止用吸着性シート。
【発明の詳細な説明】
【０００１】
【発明の属する技術分野】
本発明は、主として自動車のダッシュボードやセンターアームレスト或いは船の操舵席や客席のテーブルなどに置いておき、このシートの上にメガネ、携帯電話、硬貨等の小物を乗せるとこれら小物はシートに吸着されて落下を未然に防止することができる小物落下防止用吸着性シートに関する。
【０００２】
【従来の技術】
従来の滑り止めシート又は吸着シートと称するものに特開平１１−２１６０６０号公報及び特開平１１−０４８３７９号公報に記載の発明がある。前記の特開平１１−２１６０６０号公報に記載された発明は、合成樹脂やゴムなどの高分子材料からなるマットの下面に吸盤を形成したものであり、特開平１１−０４８３７９号公報に記載の発明は、ゴム又は樹脂の基礎シートの上にこれと同質の素材で、発泡して環状に立ち上がる吸盤と非発泡の吸盤を散点状に設けた構成からなる。これらは何れも吸盤を設けて、この吸盤に被着物を吸着させるので大きい物や重量物は堅固に吸着するが、小物を吸着するには構造上困難であり、取り扱い上の難点がある。一方、自動車の走行中に硬貨やメガネなどの小物類をダッシュボードの上に置いておいて落下することがしばしばあり、運転の妨げとなり危険であることから、係る小物を簡単に出し入れできる収納具のようなものの開発が望まれていた。
【０００３】
【発明が解決しようとする課題】
本発明は、前記のような問題点を解消して、ゴム製のシートそのものに吸着性を持たせることによって、このシートを自動車のダッシュボードなどの上に置くだけでシートの裏面がダッシュボードなどに吸着するとともに、表面は被着物である小物を吸着し、剥がすときも手で簡単に剥がれるので、極めて取り扱いが容易であり、その上、ゴムの配合物が被着物に移行して被着物を損傷するおそれもなく、且つ、水洗いするだけで繰り返し使用可能な小物落下防止用吸着性シートを提供することを目的とする。
【０００４】
【課題を解決するための手段】
前記の課題を解決するために、本発明は、極柔軟性ゴムからなるシートであって、該シートの両面が吸着性に富み、その吸着面に小物を載せることによって小物が滑動乃至落下することを防止し、吸着面が汚れても水洗いして吸着性を回復させることによって、繰り返し使用可能であることを特徴とする小物落下防止用吸着性シートとする（請求項１）。
【０００５】
また、前記の課題を解決するために、本発明は、前記の吸着性シートは、常温におけるかたさ試験機ＪＩＳ−Ａ型硬度が３〜７の範囲にある極柔軟性ゴムからなることを特徴とする前記の小物落下防止用吸着性シートとすることが好ましい（請求項２）。
【０００６】
また、前記の課題を解決するために、本発明は、前記の極柔軟性ゴムはシリコーンゴム又はブチルゴムであって、未架橋のシロキサンポリマー１００ｇに対しパーオキサイド架橋剤を０．８０・１０−３〜１．５・１０−３モル相当を含有する組成物又は未加硫のブチルゴムポリマー１００重量部に対し硫黄加硫剤を０．４〜０．８重量部を含有する組成物の何れかをゴムプレス成型法で所望の厚さに成型した後、架橋乃至加硫させてなる前記の何れかに記載の小物落下防止用吸着性シートとすることが好ましい（請求項３）。
【０００７】
また、前記の課題を解決するために、本発明は、前記の吸着性シートの両面が剥離シートで被覆されてなることを特徴とする前記の何れかに記載の小物落下防止用吸着性シートとすることが好ましい（請求項４）。
【０００８】
【発明の実施の形態】
この発明の実施の形態について図に基づいて説明する。図１は、本発明の実施の形態にかかる小物落下防止用吸着性シートを使用した状態を例示した斜視図である。図１において、１は小物落下防止用吸着性シートであり、２は小物であり、３はセンターアームレストである。
【０００９】
図２は、本発明の実施の形態にかかる小物落下防止用吸着性シートの両面を剥離シートで被覆した状態を示した縦断面図である。図２において、１は小物落下防止用吸着性シートであり、４，４は剥離シートである。本発明の実施の形態にかかる小物落下防止用吸着性シート１は通常この図に示すように吸着性シート１の両面を剥離シート４で被覆した状態で流通し、使用する段階で両面の剥離シートを剥がして使用される。剥離シートは前記の吸着面から容易に剥離可能なオレフィン系のシートや市販の離型紙等を用いてもよい。
【００１０】
小物落下防止用吸着性シート１は、極柔軟性ゴムからなり、該シートの両面が吸着性に富み、この吸着面に小物類を乗せると小物類は吸着面に吸着されて滑動乃至落下することを防止できる。その吸着面が汚れても水洗いして吸着性を回復させることによって繰り返し使用可能であることを特徴とする。
【００１１】
前記の極柔軟性ゴムシートは、常温における硬度がかたさ試験機ＪＩＳ−Ａ型で測定した値が３〜７の範囲であることが好ましい。この範囲の値より低いと柔らかすぎて保形性や表面強度が劣り、この範囲の値より高いと吸着性が低下し前記の機能の保持が困難となるからである。また、前記の機能を保持する限りにおいて、特にその素材が限定されるものではないが、極柔軟性ゴムの素材はシリコーンゴム又はブチルゴムが好ましい。
【００１２】
シリコーンゴムの場合は、未架橋のシロキサンポリマー１００ｇに対し架橋剤のジアルキルパーオキサイドを０．８０・１０−３〜１．５・１０−３モル相当及び着色剤を含有する配合剤を架橋温度以下の温度で混練りロールにて所定の厚みに分出した後、金型にて架橋温度以上に加熱及び加圧して架橋する。架橋剤の添加モル数はゴムの硬度並びに強度を支配するとともに吸着力とも関係し、前記添加モル数の範囲内、特に１．０・１０−３モル前後が強度と吸着力の点でもっとも好ましい。シリコーンゴムの架橋剤としては、ジ−ｔ−ブチルパーオキサイド（ＤＢＰ）、ジクミルパーオキサイド（ＤＣＰ）等が好ましい。
【００１３】
配合剤は被着体に移行し易い液状の軟化剤を極力使用しないようにして、被着体の被着面に配合剤が移行することによる損傷を防止することが好ましい。シリコーンゴムに代えてブチルゴムを使用するときは前記パーオキサイドなどの架橋剤に代えて硫黄系の加硫剤を用いる。未加硫のブチルゴムポリマー１００重量部に対し硫黄加硫剤を０．４〜０．８重量部、より好ましくは０．５重量部前後及び酸化防止剤等の加工助剤と着色剤を含有する配合剤とする。
【００１４】
【実施例】
次ぎに、実施例として、シリコーンゴムを用いた小物落下防止用吸着性シートについての実施例を例示する。前記の実施の形態に示すように、次の配合例１の配合剤を混練りロールにて２５〜４０℃で２０〜３０分間混練りし１０ｍｍ厚の帯状シートを形成する。この帯状シートをゴム用プレス成型機にて１６０〜１７５℃で１０〜１５分間、加熱・加圧成型する。
【００１５】
配合例１
未架橋のシロキサンポリマー　　　　　　１００ｇ
ジアルキルパーオキサイド（架橋剤）　　１．０・１０−３モル
着色剤　　　　　　　　　　　　　　　　０．４ｇ
【００１６】
次ぎに、他の実施例として、ブチルゴムを用いた小物落下防止用吸着性シートについての実施例を例示する。前記のシリコーンゴムの実施例において、配合例１を配合例２に代え、混練ロールの混練条件を３０〜４０℃にて３０〜４０分間とし、ゴム用プレス成型機の成型条件を１５０〜１６０℃にて２０〜２５分間とする以外は前記と同様にして吸着性シートが得られる。
【００１７】
配合例２
未架橋ブチルゴム　　　　　　　　１００重量部
硫黄（加硫剤）　　　　　　　　　０．５重量部
酸化防止剤（加工助剤）　　　　　１．０重量部
着色剤　　　　　　　　　　　　　１．０重量部
【００１８】
【発明の効果】
本発明に係る小物落下防止用吸着性シートは、前記のように構成されており、自動車のダッシュボード等に吸着させ、この吸着性シートの上に高速道路の回数券、小銭、筆記用具等の小物類をおけば、これらの小物類は吸着性シートに吸着されて、揺れによって滑り落ちることを防止できる。吸着力は吸盤のように部分的に吸着するのではなく、全体に満遍なく吸着されるので手で簡単に着脱できて取り扱いが容易であり、被着体に吸着の痕跡や配合剤のマイグレーションによる損傷を与えることも一切無く安全である。また、汚れても水洗いによって吸着力が回復し再使用できるので無駄がなく、更に、シリコーンゴムは耐熱性、耐寒性、耐候性、耐油性、圧縮永久歪み特性、反発弾性、安全衛生、耐久性の点で特に優れているので長期に使用してもヘタリやボリュウム感の減少が目立たず、商品価値を維持できるとともに使用範囲が広く、且つ、多彩で鮮明な着色が可能であり見栄えがよく意匠的に優れた効果を奏する。
【図面の簡単な説明】
【図１】本発明の実施の形態に係る吸着性シートを使用している状態を例示した斜視図である。
【図２】本発明の実施の形態に係る吸着性シートの両面を剥離シートで被覆した状態を示した拡大縦断面図である。
【符号の説明】
１：吸着性シート、２：小物類、２ａ：携帯電話、２ｂ：ネックレス、２ｃ：硬貨、３：センターアームレスト、４：剥離シート
【図１】
2004099719.tif 000003
【図２】
2004099719.tif 000004